(57)【要約】【課題】縦位置に保持したデジタルカメラの操作性を向上させる。【解決手段】デジタルカメラ１０は十字キー１６、決定ボタン１７、再生ボタン１８、メニューボタン１９、およびモニタ１５を有する。カメラグリップ３０はレリーズボタン、十字キー３６、決定ボタン３７、再生ボタン３８、およびメニューボタン３９を有する。デジタルカメラ１０の十字キー１６、決定ボタン１７、再生ボタン１８、メニューボタン１９が操作されるときに、正位置表示形式に従いモニタ１５に画像を表示する。カメラグリップ３０の十字キー３６、決定ボタン３７、再生ボタン３８、メニューボタン３９が操作されるときに、縦位置表示形式に従いモニタ１５に画像を表示する。【選択図】図２
2007195016.tif 000002
【特許請求の範囲】
【請求項１】
撮影者が握持するためのグリップ部を備え、撮影レンズの光軸を中心に前記グリップ部から第１の角度だけ回転させた位置に撮影者が握持するためのグリップ体を着脱自在なデジタルカメラであって、
撮影した静止画像または前記デジタルカメラの操作入力画像を、前記撮影レンズの光軸に垂直な第１の方向を上方向として表示する表示手段と、
前記グリップ体に設けられる第１の操作入力部から、前記デジタルカメラを操作するために出力される第１の入力信号を受信する受信部と、
前記第１の入力信号を受信するときに、前記静止画像または前記操作入力画像を前記第１の角度だけ回転させた第２の方向を上方向として前記表示手段に表示させる表示画像制御手段とを備える
ことを特徴とするデジタルカメラ。
【請求項２】
撮影者が握持するための第１のグリップ部と、
撮影レンズの光軸を中心に前記第１のグリップ部から第１の角度だけ回転させた位置に設けられ、撮影者が握持するための第２のグリップ部と、
撮影した静止画像またはデジタルカメラの操作入力画像を、前記撮影レンズの光軸に垂直な第１の方向を上方向として表示する表示手段と、
前記第２のグリップ部に設けられる第１の操作入力部から、前記デジタルカメラを操作するために出力される第１の入力信号を受信する受信部と、
前記第１の入力信号を受信するときに、前記静止画像または前記操作入力画像を前記第１の角度だけ回転させた第２の方向を上方向として前記表示手段に表示させる表示画像制御手段とを備える
ことを特徴とするデジタルカメラ。
【請求項３】
前記第１の操作入力部と同じ機能を有する第２の操作入力部を備え、
前記表示画像制御手段は、前記静止画像または前記操作入力画像を前記第２方向が上方向となるように前記表示手段に表示させている場合であって、前記第２の操作入力部から前記デジタルカメラを操作するために出力される第２の入力信号が入力されるとき、前記第１の方向が上方向となるように前記静止画像または前記操作入力画像を表示させる
ことを特徴とする請求項１または請求項２に記載のデジタルカメラ。
【請求項４】
前記第１、第２の操作入力部は、前記デジタルカメラに撮影動作を実行させる第１、第２のレリーズ入力手段を含み、
前記第１、第２のレリーズ入力手段をＯＮにしたときに撮影される静止画像に相当する第１、第２の画像信号の少なくとも一方に回転情報が付加され、
前記表示画像制御手段は、付加される前記回転情報に基づいて前記表示手段に表示させる静止画像に相当する画像信号が前記第１または第２の画像信号であるか判別し、前記第１の画像信号に対応する静止画像を表示するときに前記第１、または前記第２の方向から前記第１の角度だけ逆回転させて表示させる
ことを特徴とする請求項３に記載のデジタルカメラ。
【請求項５】
前記第１の角度が、９０°であることを特徴とする請求項１〜請求項４のいずれか１項に記載のデジタルカメラ。
【請求項６】
前記表示手段が、正方形であることを特徴とする請求項１〜請求項５のいずれか１項に記載のデジタルカメラ。
【請求項７】
前記グリップ体と、前記グリップ体に設けられる前記第１の操作入力部として選択入力スイッチとを備え、請求項１に記載のデジタルカメラに着脱自在であることを特徴とするカメラグリップ。
【発明の詳細な説明】
【技術分野】
【０００１】
本発明は、撮影姿勢を変えても操作が容易かつ表示画面の視認性を容易にするデジタルカメラおよびカメラグリップに関する。
【背景技術】
【０００２】
通常、デジタルカメラ本体の左右のいずれかを握持することが、撮影者にとって楽な姿勢である。このような楽な姿勢のまま撮影の実行や様々な操作入力を行えるように、通常のカメラのレリーズボタンや十字キー等が配置される。
【０００３】
例えば、レリーズボタンはデジタルカメラ本体の上面右側に配置され、十字キーおよび決定ボタンは、デジタルカメラ本体の背面右側に配置される。このような配置により、撮影者はデジタルカメラを右手で握持しながら、右人差し指でレリーズボタンを操作可能であり、右親指で十字キーおよび決定ボタンを操作可能である。
【０００４】
ところで、デジタルカメラ本体の上面を上側に向けた正位置で撮影する画像は横長である。縦長の画像を撮影するときには、撮影レンズの光軸を中心に正位置から９０°傾けた縦位置の姿勢で撮影が行なわれていた。通常のデジタルカメラは、縦位置の姿勢で握持しづらく、縦位置の撮影を行なうことは不便であった。
【０００５】
そこで、デジタルカメラの下面に縦位置撮影グリップを装着させて縦位置での撮影の操作性を向上させることが開示されている（特許文献１参照）。縦位置撮影グリップにはレリーズボタンが設けられており、縦位置撮影グリップを装着させたデジタルカメラを縦位置の姿勢に保ったとき右人差し指によって容易にレリーズボタンを押下可能である。
【０００６】
しかし、デジタルカメラの各種の設定画像や再生画像は、デジタルカメラの上面が上側となるようにモニタに表示される。そのため、縦位置で撮影を行なっていた場合に設定や再生を行なう場合に正位置に戻す必要があり、不便であった。
【０００７】
また、設定または再生画像の選択のための選択入力および決定入力などは正位置に保った状態で操作することを想定しており、縦位置にしたままでの操作性が悪かった。
【特許文献１】特開平６−７５２８２号公報
【発明の開示】
【発明が解決しようとする課題】
【０００８】
したがって、本発明では縦位置撮影用のカメラグリップを着脱可能なデジタルカメラであって、縦位置撮影時の操作性を容易にすることを目的とする。
【課題を解決するための手段】
【０００９】
本発明の第１のデジタルカメラは、撮影者が握持するためのグリップ部を備え撮影レンズの光軸を中心にグリップ部から第１の角度だけ回転させた位置に撮影者が握持するためのグリップ体を着脱自在なデジタルカメラであって、撮影した静止画像またはデジタルカメラの操作入力画像を撮影レンズの光軸に垂直な第１の方向を上方向として表示する表示手段と、グリップ体に設けられる第１の操作入力部からデジタルカメラを操作するために出力される第１の入力信号を受信する受信部と、第１の入力信号を受信するときに静止画像または操作入力画像を第１の角度だけ回転させた第２の方向を上方向として表示手段に表示させる表示画像制御手段とを備えることを特徴としている。
【００１０】
本発明の第２のデジタルカメラは、撮影者が握持するための第１のグリップ部と、撮影レンズの光軸を中心に第１のグリップ部から第１の角度だけ回転させた位置に設けられ、撮影者が握持するための第２のグリップ部と、撮影した静止画像またはデジタルカメラの操作入力画像を撮影レンズの光軸に垂直な第１の方向を上方向として表示する表示手段と、第２のグリップ部に設けられる第１の操作入力部からデジタルカメラを操作するために出力される第１の入力信号を受信する受信部と、第１の入力信号を受信するときに静止画像または操作入力画像を第１の角度だけ回転させた第２の方向を上方向として表示手段に表示させる表示画像制御手段とを備えることを特徴としている。
【００１１】
さらに、第１の操作入力部と同じ機能を有する第２の操作入力部を備え、表示画像制御手段は静止画像または操作入力画像を第２方向が上方向となるように表示手段に表示させている場合であって第２の操作入力部からデジタルカメラを操作するために出力される第２の入力信号が入力されるとき第１の方向が上方向となるように静止画像または操作入力画像を表示させることが好ましい。
【００１２】
また、第１、第２の操作入力部はデジタルカメラに撮影動作を実行させる第１、第２のレリーズ入力手段を含み、第１、第２のレリーズ入力手段をＯＮにしたときに撮影される静止画像に相当する第１、第２の画像信号の少なくとも一方に回転情報が付加され、表示画像制御手段は付加される回転情報に基づいて表示手段に表示させる静止画像に相当する画像信号が第１または第２の画像信号であるか判別し第１の画像信号に対応する静止画像を表示するときに第１、または第２の方向から第１の角度だけ逆回転させて表示させることが好ましい。
【００１３】
また、第１の角度が９０°であることが好ましい。
【００１４】
また、表示手段が、正方形であることが好ましい。
【００１５】
本発明のカメラグリップは、グリップ体と、グリップ体に設けられる第１の操作入力部として選択入力スイッチとを備え、デジタルカメラに着脱自在であることを特徴としている。
【発明の効果】
【００１６】
本発明によれば、デジタルカメラを縦位置に保持した場合でもそのままの姿勢でモニタに表示される画像を容易に視認することが可能である。また、カメラグリップの十字キーなどの操作によりモニタに表示する画像を回転させることが可能になる。
【発明を実施するための最良の形態】
【００１７】
以下、本発明の実施形態について図面を参照して説明する。
図１は、本発明の一実施形態を適用したデジタルカメラと本発明の一実施形態を適用したカメラグリップの前面図である。図２は、デジタルカメラとカメラグリップの背面図である。
【００１８】
なお、図１、図２において、図の上下方向がデジタルカメラの正位置における上下方向とする。また、図２のようにデジタルカメラの背面側から見た右方向をデジタルカメラの右方向、背面側から見た左方向をデジタルカメラの左方向として表現する。
【００１９】
一眼レフカメラであるデジタルカメラ１０の前面には、右側（図１において左側）にグリップ部１１が設けられる。グリップ部１１は、握持性を良くするために前面から前方に突出し上下に延びるように形成される。グリップ部１１の上方の上面にレリーズボタン１２が設けられる。レリーズボタン１２を押下することにより、撮像動作が実行される。
【００２０】
デジタルカメラ１０の前面の中央左寄り（図１において右寄り）には、撮影レンズ１３が設けられる。撮影レンズ１３は、複数のレンズ（図示せず）によって構成される。撮影レンズ１３の焦点距離を調節することにより被写体の光学像の縮尺が調整される。また、撮影レンズ１３は被写体の光学像を、デジタルカメラ１０の内部に設けられる撮像素子（図１、図２において図示せず）に結像させる。
【００２１】
また、被写体の光学像は、ハーフミラー（図示せず）、およびペンタプリズム（図示せず）を介して、デジタルカメラ１０の背面の上部に設けられるファインダ１４に伝達される。したがって、撮影者は、撮影レンズを介した被写体の光学像を背面側から視認可能である。
【００２２】
さらに、デジタルカメラ１０の背面には、モニタ１５、十字キー１６、決定ボタン１７、再生ボタン１８、およびメニューボタン１９などが設けられる。正方形状のモニタ１５は背面の中央付近に設けられ、十字キー１６と決定ボタン１７は背面の右側中央付近に設けられ、再生ボタン１８とメニューボタン１９は十字キー１６の下方に設けられる。
【００２３】
デジタルカメラ１０の動作は撮影モード、再生モード、および設定モードに切替え可能で、モニタ１５にはそれぞれのモードに応じた画像が表示される。撮影モードにおいては、撮影条件の設定を行なうための撮影設定メニュー画像が表示される。また、再生モードにおいては、撮影した静止画像が表示される。また設定モードにおいては、デジタルカメラ１０の一般設定を行なうための一般設定メニュー画像が表示される。
【００２４】
なお、撮影設定メニュー画像、静止画像、および一般設定メニュー画像は、デジタルカメラ１０の上面側を上方向の画像として表示する正位置表示の形式で表示される（図３参照）。または、これらの画像はデジタルカメラ１０の右側を上方向の画像として表示する縦位置表示、すなわち正位置表示から撮影レンズ１３の光軸を中心に９０°時計回りに回転させた表示形式で表示される（図４参照）。
【００２５】
撮影モード、再生モード、および設定モードのそれぞれにおいて、十字キー１６は選択入力をするために用いられる。例えば、撮影モードにおいてはいずれの撮影条件を調整するかの選択、またいずれかの選択肢を設定するために用いられる。また、再生モードにおいては、いずれの画像を再生するかを選択するために用いられる。また、設定モードにおいては、いずれの一般条件を調整するか、またいずれかの選択肢を設定するために用いられる。
【００２６】
撮影モード、再生モード、および設定モードのそれぞれにおいて、決定ボタン１７は十字キー１６により実行された選択を確定するのに用いられる。例えば、撮影モードにおいては、調整する撮影条件の確定、設定する選択肢の確定に用いられる。また、設定モードにおいては、調整する一般条件の確定、設定する選択肢の確定に用いられる。
【００２７】
各モードの切替えは、再生ボタン１８およびメニューボタン１９により実行される。再生ボタン１８を押下することにより、撮影モードと再生モードとが切替えられる。メニューボタン１９を押下することにより、撮影モードと設定モードとが切替えられる。
【００２８】
デジタルカメラ１０には、電池保持部２０が設けられる。カメラグリップ３０を装着しないときに、電池保持部２０に電池（図示せず）が保持される。電池保持部２０に保持される電池から、デジタルカメラ１０の駆動に必要な電力が供給される。
【００２９】
カメラグリップ３０は、グリップ本体ＧＢと挿入体ＩＢとによって形成される。グリップ本体ＧＢには、グリップ部３１とレリーズボタン３２とが前面に設けられ、十字キー３６、決定ボタン３７、再生ボタン３８、およびメニューボタン３９が背面に設けられる。
【００３０】
グリップ部３１は、デジタルカメラ１０のグリップ部１１と同様に、前面から前方に突出し左右に延びるように形成される。グリップ部３１を左右に延びるように形成することにより、デジタルカメラ１０を縦位置で握持することが容易となる。
【００３１】
グリップ部３１の右側（図１において左側）にレリーズボタン３２が設けられる。十字キー３６と決定ボタン３７は背面の中央付近に設けられ、再生ボタン３８とメニューボタン３９とは十字キー３６の左側に設けられる。なお、このように配置することにより、デジタルカメラ１０を縦位置に保持したときにレリーズボタン３２は右人差し指で、十字キー３６、決定ボタン３７、再生ボタン３８、およびメニューボタン３９は右親指で容易に押下することが可能である。
【００３２】
カメラグリップ３０をデジタルカメラ１０に装着したときに、カメラグリップ３０に設けられたレリーズボタン３２、十字キー３６、決定ボタン３７、再生ボタン３８、およびメニューボタン３９は、デジタルカメラ１０に設けられたレリーズボタン１２、十字キー１６、決定ボタン１７、再生ボタン１８、およびメニューボタン１９と同じ機能の入力信号を出力させることが可能である。
【００３３】
カメラグリップ３０をデジタルカメラ１０に装着するときに、挿入体ＩＢが電池保持部２０に挿入される。なお、グリップ本体ＧＢには電池保持部（図示せず）が設けられており、カメラグリップ３０を装着したときにデジタルカメラ１０にはグリップ本体ＧＢの電池（図示せず）から駆動のための電力が供給される。
【００３４】
挿入体ＩＢおよびデジタルカメラ１０の電池保持部２０には電極（図示せず）が設けられ、カメラグリップ３０を装着するときに、これらの電極が接合される。電極を介して、カメラグリップ３０から電力が供給され、また、レリーズボタン３２、十字キー３６、決定ボタン３７、再生ボタン３８、およびメニューボタン３９を押下するときの入力信号がデジタルカメラ１０に伝達される。
【００３５】
次に、デジタルカメラ１０およびカメラグリップ３０の内部構成について図を用いて説明する。図５は、デジタルカメラ１０およびカメラグリップ３０の内部構成を概略的に示すブロック図である。
【００３６】
デジタルカメラ１０は、撮影レンズ１３、撮像素子２１、デジタル信号処理回路２２、システムコントローラ２３、モニタ１５、操作部２４および受信部２５等によって構成される。なお、操作部２４は、デジタルカメラ１０の操作入力を行なうためのレリーズボタン１２、十字キー１６、決定ボタン１７、再生ボタン１８、およびメニューボタン１９等によって構成される。
【００３７】
撮影レンズ１３は、撮像素子２１に光学的に接続される。撮影レンズ１３を透過する被写体の光学像が撮像素子２１の受光面に入射される。撮像素子２１は、例えばＣＭＯＳイメージセンサである。受光面において被写体の光学像が受光されることにより、光学像に対応する画像信号が生成される。
【００３８】
撮像素子２１の受光面は長辺と短辺とを有する長方形であり、長辺がデジタルカメラ１０の左右方向に平行となるように、撮像素子２１はデジタルカメラ１０の内部に保持される。従って、デジタルカメラ１０を正位置に保持して撮影するときは横長の画像が撮影され、縦位置に保持して撮影するときは縦長の画像が撮影される。
【００３９】
撮像素子２１は、Ａ／Ｄコンバータ２６を介してデジタル信号処理回路２２に接続される。撮像素子２１において生成された画像信号は、Ａ／Ｄコンバータ２６によりＡ／Ｄ変換され、デジタル信号処理回路２２に送られる。
【００４０】
レリーズ動作が実行されることにより、１フレームの画像信号に対して所定の信号処理が施された後に、画像信号はメモリコネクタ２７を介して接続される着脱式メモリ（図示せず）に格納される。
【００４１】
着脱式メモリに格納された画像信号は、再生モードにおいてデジタル信号処理回路２２を介してモニタ１５に送られる。入力される画像信号に対応する静止画像がモニタ１５に表示される。
【００４２】
また、撮影モードおよび設定モードにおいては、モニタ１５に撮影設定メニュー画像または一般設定メニュー画像を表示するように、デジタル信号処理回路２２によってモニタ１５が制御される。
【００４３】
デジタル信号処理回路２２は、システムコントローラ２３に接続される。デジタル信号処理回路２２における信号処理は、システムコントローラ２３によって制御される。また、システムコントローラ２３によってデジタルカメラ２０全体の動作も制御される。
【００４４】
操作部２４は、システムコントローラ２３に接続される。撮影者による操作部２４への操作入力は、本体入力信号（第２の入力信号）としてシステムコントローラ２３に送られる。送られる本体入力信号に応じて、システムコントローラ２３による各部位の制御が行なわれる。
【００４５】
例えば、再生ボタン１８またはメニューボタン１９を押下することにより、デジタル信号処理回路２２はシステムコントローラ２３に制御され、モニタ１５への表示が撮影設定メニュー画像、静止画像、一般設定メニュー画像のいずれかに切替えられる。
【００４６】
また、レリーズボタン１２が全押しされることにより、タイミングジェネレータ２８がシステムコントローラ２３に制御され、静止画像を受光するように撮像素子２１とＡ／Ｄコンバータ２６とが駆動される。
【００４７】
また、再生モードにおいては、十字キー１６を操作することにより、表示する再生画像を切替えるように、デジタル信号処理回路２２の動作がシステムコントローラ２３により制御される。
【００４８】
カメラグリップ３０には、デジタルカメラ１０の操作入力を行なうためのレリーズボタン３２、十字キー３６、決定ボタン３７、再生ボタン３８、およびメニューボタン３９によって構成される操作部３４が設けられる。
【００４９】
カメラグリップ３０をデジタルカメラ１０に装着するとき、操作部３４はデジタルカメラ１０の受信部２５に接続される。受信部２５はシステムコントローラ２３に接続されており、カメラグリップ３０の操作部３４への操作入力は、グリップ入力信号（第１の入力信号）としてシステムコントローラ２３に送られる。本体入力信号と同様に、送られるグリップ入力信号に応じてシステムコントローラ２３による各部位の制御が行なわれる。
【００５０】
なお、撮影設定メニュー画像、静止画像、および一般設定メニュー画像が正位置表示形式に従ってモニタ１５に表示されている状態でグリップ入力信号がシステムコントローラ２３に送られるとき、表示形式は縦位置表示形式に切替えられる。
【００５１】
一方、撮影設定メニュー画像、静止画像、および一般設定メニュー画像が縦位置表示形式に従ってモニタ１５に表示されている状態で本体入力信号がシステムコントローラ２３に送られるとき、表示形式は正位置表示形式に切替えられる。
【００５２】
また、カメラグリップ３０のレリーズボタン３２が押下されることによりグリップ入力信号がシステムコントローラ２３に送られるとき、着脱式メモリに格納される画像信号に回転信号が付加される。画像信号に回転信号が付加されているか否かによって、再生モードにおける静止画像の向きが定められる。
【００５３】
回転信号が付加されていない画像信号に対応する静止画像が表示されるときは、撮像素子２１で受光した光学像の上下方向がそのまま静止画像の上下方向となるように表示される。
【００５４】
したがって、正位置表示形式では正位置において横長の静止画像がモニタ１５に表示される（図６におけるモニタ１５の上面側参照）。縦位置表示形式では縦位置において横長の静止画像がモニタ１５に表示される（図７におけるモニタ１５の右側参照）。
【００５５】
一方、回転信号が付加された画像信号に対応する静止画像が表示されるときは、撮像素子２１で受光した光学像の右方向が静止画像の上方向となるように表示される。すなわち、回転信号が付加された画像信号に対応する静止画像は、回転信号が付加されない画像信号に対応する静止画像から９０°反時計回りに回転させた画像として表示される。
【００５６】
従って、正位置表示形式では正位置において縦長の静止画像がモニタ１５に表示される（図８におけるモニタ１５の左側参照）。縦位置表示形式では縦位置において縦長の静止画像がモニタ１５に表示される（図９におけるモニタ１５の上面側参照）。
【００５７】
なお、再生モードにおいて、静止画像を表示したモニタ１５の余白に撮影時の撮影情報が表示される。撮影情報は、例えば、フォーカス、シャッター速度、絞り値、ストロボの発光、画質、ホワイトバランス調整、測光範囲、およびＩＳＯ感度などの情報である。
【００５８】
次に、撮影モード、再生モード、および設定モードにおいて、システムコントローラ２３およびデジタル信号処理回路２２によって行われる処理について図１０〜図１２のフローチャートを用いて説明する。図１０は、撮影モードにおいて行なわれる動作を説明するためのフローチャートである。図１１は、再生モードにおいて行なわれる動作を説明するためのフローチャートである。図１２は、設定モードにおいて行なわれる動作を説明するためのフローチャートである。
【００５９】
デジタルカメラ１０が撮影モードに切替えられると、撮影モードにおける動作を実行するための処理を始める。まず、ステップＳ１００において撮影設定メニュー画像を正位置表示形式に従って表示する（図３参照）。
【００６０】
次にステップＳ１０１に進み、撮影条件を変更するための十字キー１６、３６および決定ボタン１７、３７の入力が、デジタルカメラ１０の十字キー１６と決定ボタン１７からの入力であるか、カメラグリップ３０の十字キー３６と決定ボタン３７からの入力であるかを判断する。すなわち、デジタルカメラ１０の操作部２４から出力される本体入力信号、およびカメラグリップ３０の操作部３４から出力されるグリップ入力信号のいずれを受信するかを判断する。
【００６１】
本体入力信号を受信するときはステップＳ１０２に進み、正位置表示形式を維持する。また、後述のように縦位置表示形式に従った画像表示に切替えられている場合は、正位置表示形式に切替える。
【００６２】
グリップ入力信号を受信するときはステップＳ１０３に進み、縦位置表示形式に従って画像を表示する（図４参照）。また、縦位置表示形式に従った画像表示である場合は、縦位置表示形式を維持する。
【００６３】
ステップＳ１０２およびステップＳ１０３の終了後、ステップＳ１０４に進む。ステップＳ１０４では、レリーズボタン１２、３２が押下されレリーズスイッチ（図示せず）がＯＮであるかを判断する。
【００６４】
レリーズスイッチがＯＮで無い場合は、ステップＳ１０１に戻る。以後、ステップＳ１０４において、レリーズスイッチがＯＮとなるまでステップＳ１０１〜ステップＳ１０４の処理を繰返す。
【００６５】
レリーズスイッチがＯＮである場合にステップＳ１０５に進み、撮像素子２１が生成した画像信号に所定の信号処理を施して着脱式メモリに格納する。その後ステップＳ１０６に進み、デジタルカメラ１０のレリーズボタン１２およびカメラグリップ３０のレリーズボタン３２のいずれが、押下されたかの判断を行なう。
【００６６】
カメラグリップ３０のレリーズボタン３２が押下されグリップ入力信号を受信するときは、ステップＳ１０７で着脱式メモリに格納した画像信号に回転信号を付加する。回転信号を付加した後にステップＳ１０８に進む。一方、デジタルカメラ１０のレリーズボタン１２が押下され本体入力信号を受信するときは、そのままステップＳ１０８に進む。
【００６７】
ステップＳ１０８では、撮影が終了であるかを判断する。撮影の終了はデジタルカメラ１０の電源をＯＦＦとすること、および他の動作モードに切替えられることにより判断する。撮影を続行する場合は、ステップＳ１０１に戻り撮影を終了するまで、ステップＳ１０１〜ステップＳ１０８の処理を繰返す。ステップＳ１０８において、撮影終了である場合は、撮影モードにおける処理を終了する。
【００６８】
デジタルカメラ１０が再生モードに切替えられると、再生モードにおける動作を実行させるための処理が始まる。まずステップＳ２００において、本体入力信号とグリップ入力信号のいずれがシステムコントローラ２３に受信されたかについて判断する。
【００６９】
再生モードに切替えた直後の場合は、デジタルカメラ１０の再生ボタン１８とカメラグリップ３０の再生ボタン３８とのいずれが押下されたのかを判断する。なお、後述するように、すでに表示されている静止画像を切替える場合はデジタルカメラ１０の十字キー１６とカメラグリップ３０の十字キー３６のいずれが押下されたのかを判断する。
【００７０】
デジタルカメラ１０の再生ボタン１８または十字キー１６が押下され本体入力信号を受信した場合には、ステップＳ２０１に進む。ステップＳ２０１では表示する静止画像に対応する画像信号に回転信号が付加しているか否かの確認を行なう。
【００７１】
回転信号が付加されていない場合はステップＳ２０２に進み、正位置表示形式で静止画像をそのまま横長に表示する（図６参照）。回転信号が付加されている場合はステップＳ２０３に進み、正位置表示形式で静止画像を９０°反時計回りに回転させて表示する（図８参照）。
【００７２】
ステップＳ２００において、カメラグリップ３０の再生ボタン３８または十字キー３６が押下されグリップ入力信号を受信した場合には、ステップＳ２０４に進む。ステップＳ２０４では、ステップＳ２０１と同様に表示する静止画像に対応する画像信号に回転信号が付加しているか否かの確認を行なう。
【００７３】
回転信号が付加されていない場合はステップＳ２０５に進み、縦位置表示形式で静止画像をそのまま横長に表示する（図７参照）。回転信号が付加されている場合はステップＳ２０６に進み、縦位置表示形式で静止画像を９０°反時計回りに回転させて表示する（図９参照）。
【００７４】
ステップＳ２０２、ステップＳ２０３、ステップＳ２０５、またはステップＳ２０６の終了後、ステップＳ２０７に進む。ステップＳ２０７では、再生する静止画像を切替えるための入力があるか否か判断する。
【００７５】
静止画像の切替えのために、デジタルカメラ１０の十字キー１６またはカメラグリップ３０の十字キー３６への入力がある場合にステップＳ２００に戻り、以後ステップＳ２００〜ステップＳ２０７の処理を繰返す。
【００７６】
静止画像の切替えのための入力が無い場合はステップＳ２０８に進む。ステップＳ２０８では、再生が終了であるかを判断する。再生の終了はデジタルカメラ１０の電源をＯＦＦとすること、および他の動作モードに切替えられることにより判断する。再生を続行する場合は、ステップＳ２０７に戻り再生を終了するまで、ステップＳ２００〜ステップＳ２０８の処理を繰返す。ステップＳ２０８において、再生終了である場合は、再生モードにおける処理を終了する。
【００７７】
デジタルカメラ１０が設定モードに切替えられると、設定モードにおける動作を実行させるための処理が始まる。まずステップＳ３００において、本体入力信号とグリップ入力信号のいずれがシステムコントローラ２３に受信されたかについて判断する。
【００７８】
設定モードに切替えた直後の場合は、デジタルカメラ１０のメニューボタン１９とカメラグリップ３０のメニューボタン３９とのいずれが押下されたのかを判断する。なお、後述するようにすでに一般設定メニュー画像を表示している場合は、デジタルカメラ１０の十字キー１６とカメラグリップ３０の十字キー３６のいずれが押下されたのかを判断する。
【００７９】
デジタルカメラ１０のメニューボタン１９または十字キー１６が押下され本体入力信号を受信した場合には、ステップＳ３０１に進む。ステップＳ３０１では一般設定メニュー画像を正位置表示形式に従って表示する。
【００８０】
ステップＳ３００において、カメラグリップ３０のメニューボタン３９または十字キー３６が押下されグリップ入力信号を受信した場合には、ステップＳ３０２に進む。ステップＳ３０２では一般設定メニュー画像を縦位置表示形式に従って表示する。
【００８１】
ステップＳ３０１またはステップＳ３０２の終了後、ステップＳ３０３に進む。ステップＳ３０３では、設定が終了であるかを判断する。設定の終了はデジタルカメラ１０の電源をＯＦＦとすること、および他の動作モードに切替えられることにより判断する。設定を続行する場合は、ステップＳ３００に戻り設定を終了するまで、ステップＳ３００〜ステップＳ３０３の処理を繰返す。ステップＳ３０３において設定終了である場合は、設定モードにおける処理を終了する。
【００８２】
以上のような構成である本実施形態のデジタルカメラ１０およびカメラグリップ３０によれば、モニタ１５に表示する画像を９０°回転させて表示することが可能である。従って、カメラグリップ３０を装着した状態でデジタルカメラ１０を縦位置に保持したまま、モニタ１５に表示される画像を容易に視認することができるようになる。
【００８３】
また、デジタルカメラ１０およびカメラグリップ３０によれば、カメラグリップ３０に設けられた十字キー３６などの操作部３４に操作入力することにより画像を正位置表示形式から縦位置表示形式に切替えることが可能である。縦位置表示形式への切替えは、デジタルカメラ１０を縦位置に保持しているときに望まれる。前述のように操作部３４は縦位置に保持しているときに容易に操作可能であり、デジタルカメラ１０を握持しながらの入力により縦位置表示形式に切替わるので、利便性が高められる。
【００８４】
逆に、デジタルカメラ１０に設けられた十字キー１６などの操作部２４に操作入力することにより画像を縦位置表示形式から正位置表示形式に切替えることが可能である。正位置表示形式への切替えは、デジタルカメラ１０を正位置に保持しているときに望まれる。前述のように操作部２４は正位置に保持しているときに容易に操作可能であり、デジタルカメラ１０を握持しながらの入力により正位置表示形式に切替わるので、利便性が高められる。
【００８５】
また、デジタルカメラ１０およびカメラグリップ３０によれば、いずれのレリーズボタン１２、３２が押されたかによって画像信号に回転信号が付加され、再生時に回転信号が付加されているか否かに応じて表示する画像の向きを替えることが可能である。従って、撮影時の姿勢に応じた適切な向きの静止画像が表示されるので、利便性が高められる。
【００８６】
また、デジタルカメラ１０およびカメラグリップ３０によれば、デジタルカメラ１０に設けられるモニタ１５は正方形なので、正位置表示形式または縦位置表示形式のいずれにおいても、表示する画像のレイアウトを変えることなく画像のみを回転させて表示することが可能である。従って、撮影者はいずれの表示形式であっても違和感を覚えることが無くなる。また、レイアウトの変更のための信号処理が不要である。
【００８７】
また、モニタ１５が正方形なので、再生モードにおいて静止画像の余白に撮影情報を表示することが可能である。従って、静止画像と撮影情報とが重なることが無いので、静止画像および撮影情報の視認が容易となる。
【００８８】
また、モニタ１５が正方形なので、再生モードにおいて横長の画像または縦長の画像を表示するときに、いずれの画像も同じ縮尺で表示することが可能である。
【００８９】
なお、本実施形態においてカメラグリップ３０はデジタルカメラ１０に着脱自在であるが、一体的な構成であってもよい。
【００９０】
また、本実施得形態においてカメラグリップ３０は、グリップ部３１から撮影レンズ１３の光軸を中心に９０°回転させた位置に装着可能であるが９０°でなくてもよい。ただし、通常のカメラ撮影において、横長の写真と縦長の写真のいずれかの撮影が求められるので、９０°回転させた位置に装着可能な構成が好ましい。
【００９１】
また、本実施形態においてモニタ１５は正方形であるがどのような形状であっても、本実施形態と同様にモニタに表示する画像の方向の切替えおよび回転信号の付加に応じて静止画像の向きをかえることは可能である。ただし、前述のように正方形であることがより好ましい。
【００９２】
また、本実施形態においてカメラグリップ３０のレリーズボタン３２を押下するときに画像信号に回転信号が付加される構成であるが、デジタルカメラ１０のレリーズボタン１２を押下するときに画像信号に回転信号を付加する構成であっても、本実施形態と同じ効果を得ることが可能である。
【００９３】
あるいは、デジタルカメラ１０およびカメラグリップ３０のレリーズボタン１２、３２のいずれかが押下されたときに、それぞれ異なる回転信号が付加される構成であってもよい。
【００９４】
また、本実施形態においてデジタルカメラ１０は一眼レフカメラであるが、コンパクトカメラであってもよい。
【００９５】
また、本実施形態では、撮影モードにおいてモニタ１５には撮影設定メニュー画像が常に表示される構成であるが、メニューボタン１９などの操作入力により所定の時間表示し、所定の時間経過後にモニタ１５への表示を停止してもよい。または、デジタルカメラ１０の電源をＯＮにしてから所定の時間だけ撮影設定メニュー画像が表示され、所定の時間経過後に表示を停止する構成であってもよい。
【図面の簡単な説明】
【００９６】
【図１】本発明の一実施形態を適用したデジタルカメラと本発明の一実施形態を適用したカメラグリップの前面図である。
【図２】デジタルカメラとカメラグリップの背面図である。
【図３】カメラグリップを装着したデジタルカメラの背面図である。
【図４】カメラグリップを装着したデジタルカメラを縦位置に回転させた図である。
【図５】デジタルカメラおよびカメラグリップの内部構成を概略的に示すブロック図である。
【図６】正位置表示形式に従って横長に静止画像が表示さている状態を示す図である。
【図７】縦位置表示形式に従って横長に静止画像が表示さている状態を示す図である。
【図８】正位置表示形式に従って縦長に静止画像が表示さている状態を示す図である。
【図９】縦位置表示形式に従って縦長に静止画像が表示されている状態を示す図である。
【図１０】撮影モードにおいて行なわれる動作を示すフローチャートである。
【図１１】再生モードにおいて行なわれる動作を示すフローチャートである。
【図１２】設定モードにおいて行なわれる動作を示すフローチャートである。
【符号の説明】
【００９７】
１０  デジタルカメラ
１１  グリップ部
１２  レリーズボタン
１３  撮影レンズ
１５  モニタ
１６  十字キー
１７  決定ボタン
１８  再生ボタン
１９  メニューボタン
２２  デジタル信号処理回路
２３  システムコントローラ
２４  操作部
２５  受信部
３０  カメラグリップ
３１  グリップ部
３２  レリーズボタン
３４  操作部
３６  十字キー
３７  決定ボタン
３８  再生ボタン
３９  メニューボタン
【図１】
2007195016.tif 000003
【図２】
2007195016.tif 000004
【図３】
2007195016.tif 000005
【図４】
2007195016.tif 000006
【図５】
2007195016.tif 000007
【図６】
2007195016.tif 000008
【図７】
2007195016.tif 000009
【図８】
2007195016.tif 000010
【図９】
2007195016.tif 000011
【図１０】
2007195016.tif 000012
【図１１】
2007195016.tif 000013
【図１２】
2007195016.tif 000014